(57)【要約】【課題】  鋼管杭杭頭の不要部分を簡易かつ所望の水平精度および平滑度で切除させるよう補助する鋼管杭切断ガイド治具を提供する。【解決手段】  鋼管杭Ｗの杭頭を切断する際にガスバーナのトーチヘッドＨをガイドするガイド治具Ｊであって、トーチヘッドＨが載置される移動テーブル２と、移動テーブル２のテーブル本体２ａの径方向の位置を調節する径方向位置調節機構３と、移動テーブル２を支持しながら鋼管杭Ｗの周囲に移動させる支持移動機構４と、支持移動機構４を鋼管杭Ｗに固定する固定機構６とを備えてなるものである。【選択図】  図１
2005279733.tif 000002
【特許請求の範囲】
【請求項１】
鋼管杭の杭頭を切断する際にガスバーナのトーチヘッドをガイドするガイド治具であって、
トーチヘッドが載置される移動テーブルと、該移動テーブルを支持しながら鋼管杭の周囲に移動させる支持移動機構と、該支持移動機構を鋼管杭に固定する固定機構とを備えてなることを特徴とする鋼管杭切断ガイド治具。
【請求項２】
支持移動機構が、レールと該レールに沿って移動する車輪機構とを備えてなることを特徴とする請求項１記載の鋼管杭切断ガイド治具。
【請求項３】
車輪機構が、支持移動機構の移動をガイドするレール側面に当接するガイド輪を有してなることを特徴とする請求項２記載の鋼管杭切断ガイド治具。
【請求項４】
レールがモノレールとされてなることを特徴とする請求項２記載の鋼管杭切断ガイド治具。
【請求項５】
移動テーブルがテーブル本体と、該テーブル本体の鋼管杭径方向の位置を調節する径方向位置調節機構とを有してなることを特徴とする請求項１記載の鋼管杭切断ガイド治具。
【請求項６】
径方向位置調節機構が、使用される鋼管杭の口径に対応した位置にテーブル本体を段階的に位置決めするよう構成されてなることを特徴とする請求項５記載の鋼管杭切断ガイド治具。
【請求項７】
テーブル本体が、トーチヘッドの横ズレを防止する一対の対向配置された横ズレ防止板を有してなることを特徴とする請求項５記載の鋼管杭切断ガイド治具。
【請求項８】
固定機構が、鋼管杭と当接する先端部に揺動自在とされた当接部材を有してなることを特徴とする請求項１記載の鋼管杭切断ガイド治具。
【発明の詳細な説明】
【技術分野】
【０００１】
本発明は、鋼管杭切断ガイド治具に関する。さらに詳しくは、鋼管杭の杭頭をガス切断する際にガス切断用トーチをガイドする鋼管杭切断ガイド治具に関する。
【背景技術】
【０００２】
従来より、地中に埋設された鋼管杭の杭頭の不要部分を切除する場合は、切断位置にマーキングを施し、それを目標に手案内でガス切断するものとされるのが通常である。
【０００３】
この切断方法は、ガスバーナ以外には特に装置を要せず、簡易かつ経済的であるが、その反面、切り口の水平精度を確保することは困難であり、切断面も粗くなりがちである。このため、他部材を組み付ける場合は、断面を加工する必要が生じ、手間が掛かるといった問題がある。
【０００４】
かかる問題に対処すべく、水平精度等の切断精度が要求される場合には、可搬式の自動ガス切断機を用いることが通常なされている。
【０００５】
しかしながら、切断すべき鋼管杭の個数が少ないような場合は、自動ガス切断機のような設置や搬入に手間の掛かる装置を導入することは、非常な不経済を招き、かつ、工期短縮およびコスト低減の障害になるといった問題がある。
【発明の開示】
【発明が解決しようとする課題】
【０００６】
本発明はかかる従来技術の課題に鑑みなされたものであって、鋼管杭杭頭の不要部分を簡易かつ所望の水平精度および平滑度で切除させるよう補助する鋼管杭切断ガイド治具を提供することを目的としている。
【課題を解決するための手段】
【０００７】
本発明の鋼管杭切断ガイド治具は、鋼管杭の杭頭を切断する際にガスバーナのトーチヘッドをガイドするガイド治具であって、トーチヘッドが載置される移動テーブルと、該移動テーブルを支持しながら鋼管杭の周囲に移動させる支持移動機構と、該支持移動機構を鋼管杭に固定する固定機構とを備えてなることを特徴とする。
【０００８】
本発明の鋼管杭切断ガイド治具においては、支持移動機構が、レールと該レールに沿って移動する車輪機構とを備えてなるのが好ましい。
【０００９】
また、本発明の鋼管杭切断ガイド治具においては、車輪機構が、支持移動機構の移動をガイドするレール側面に当接するガイド輪を有してなるのが好ましい。
【００１０】
さらに、本発明の鋼管杭切断ガイド治具においては、レールがモノレールとされてなるのが好ましい。
【００１１】
さらに、本発明の鋼管杭切断ガイド治具においては、移動テーブルがテーブル本体と、該テーブル本体の鋼管杭径方向の位置を調節する径方向位置調節機構とを有してなるのが好ましい。
【００１２】
さらに、本発明の鋼管杭切断ガイド治具においては、径方向位置調節機構が、使用される鋼管杭の口径に対応した位置にテーブル本体を段階的に位置決めするよう構成されてなるのが好ましい。
【００１３】
さらに、本発明の鋼管杭切断ガイド治具においては、テーブル本体が、トーチヘッドの横ズレを防止する一対の対向配置された横ズレ防止板を有してなるのが好ましい。
【００１４】
さらに、本発明の鋼管杭切断ガイド治具においては、固定機構が、鋼管杭と当接する先端部に揺動自在とされた当接部材を有してなるのが好ましい。
【発明の効果】
【００１５】
本発明によれば、鋼管杭杭頭の不要部分を簡易かつ所望の水平精度および平滑度で切除させるよう補助することができるという優れた効果が得られる。
【発明を実施するための最良の形態】
【００１６】
以下、添付図面を参照しながら本発明を実施形態に基づいて説明するが、本発明はかかる実施形態のみに限定されるものではない。
【００１７】
実施形態１
本発明の実施形態１に係る鋼管杭切断ガイド治具を図１および図２に概略図で示す。
【００１８】
鋼管杭切断ガイド治具（以下、単に治具という）Ｊは、鋼管杭Ｗを地中に埋設した後、不要となる杭頭を切除するに際し、所望のレベルＬで正確にガス切断し得るようガスバナのトーチヘッドＨ（図３参照）の動きをガイドする治具とされる。
【００１９】
治具Ｊは、トーチヘッドＨの鋼管杭Ｗ外周面との距離を一定に保ちながら鋼管杭Ｗの周囲を移動する移動テーブル２と、移動テーブル２を鋼管杭Ｗの中心に向けて支持しながら鋼管杭Ｗ周囲を移動させる支持移動機構４と、支持移動機構４を鋼管杭Ｗに固定する固定機構６とを主要構成要素として備えてなる。
【００２０】
移動テーブル２は、長方形状のテーブル本体２ａと、テーブル本体２ａの径方向位置を調節する径方向位置調節機構３とを備えてなるものとされる。
【００２１】
テーブル本体２ａには、上面の鋼管杭Ｗ側よりにトーチヘッドＨの横ズレを防止するズレ防止板２ｂ，２ｂが一対対向配置されている。ズレ防止板２ｂ，２ｂの間隔ｄは、トーチヘッドＨの直径(幅)より若干大きくされて、トーチヘッドＨのセットに支障が生じないようにされている。
【００２２】
径方向位置調節機構３は、図４に示すように、長手方向をテーブル本体２ａの長手方向に一致させて配設された長方形状の基台３ａと、基台３ａの長手方向中央に配設された位置調節用レール３ｂと、位置調節用レール３ｂを挟んで対向配置された一対の本体側部材２ｃ，２ｃと、本体側部材２ｃに螺進退自在に装着された位置固定ボルト３ｃとを備えてなるものとされ、テーブル本体２ａの下方に配設される。径方向位置調節機構３が設けられていることにより、テーブル本体２ａは鋼管杭Ｗの口径に応じた最適の位置に位置調節がなされる。
【００２３】
位置調節用レール３ｂには、両側中央にテーブル本体２ａの径方向における位置調節をガイドするガイド溝３ｄが長手方向に沿って設けられている。このガイド溝３ｄに位置固定ボルト３ｃの先端部が係合され、その先端部がガイド溝３ｄに沿って移動させられてテーブル本体２ａの径方向位置の調節が無段階的になされる。また、位置固定ボルト３ｃの先端がガイド溝３ｄの底面(縦側面)に当接させられてテーブル本体２ａの固定がなされる。つまり、テーブル本体２ａの位置決めがなされる。
【００２４】
本体側部材２ｃは、上端がテーブル本体２ａに接合されその中央の前記ガイド溝３ｄに対応する位置に位置固定ボルト３ｃが螺着されている。また、その下端は基台３ａ上面より若干上方に位置するようにされて、テーブル本体２ａの径方向の位置調節に支障のないようにされている。なお、この本体側部材２ｃは、テーブル本体２ａと一体的に形成されてもよい。
【００２５】
支持移動機構４は、移動テーブル２がそれに沿って移動する円環状のモノレール８と、このモノレール８と係合して移動テーブル２を走行させる前輪機構１０および後輪機構１２からなる車輪機構１４と、車輪機構１４を保持するとともに移動テーブル２を支持する基幹部材１６と、モノレール８が載置される円環状のベース１８とを備えてなるものとされる。
【００２６】
前輪機構１０は、モノレール８上面を転動する前輪１０ａと、モノレール８両側面を転動する一対のガイド輪１０ｂ，１０ｂと、前輪１０ａおよびガイド輪１０ｂを転動自在に保持するＵ状の保持部材１０ｃとを備えてなるものとされる。保持部材１０ｃは、前輪１０ａの車軸を両端をその両側部内側で転動自在に保持し、ガイド輪１０ｂの車軸の上端部を両側部端部で転動自在に保持する。
【００２７】
後輪機構１２も前輪機構１０と同様に、モノレール８上面を転動する後輪１２ａと、モノレール８両側面を転動する一対のガイド輪１２ｂ，１２ｂと、後輪１２ａおよびガイド輪１２ｂを転動自在に保持するＵ状の保持部材１２ｃとを備えてなるものとされる。
【００２８】
基幹部材１６は、前輪機構１０と後輪機構１２とを連結する連結部材１６ａと、連結部材１６ａの中央に垂設されて連結部材１６ａを保持する垂直保持部材１６ｂとを備えてなるものとされる。垂直保持部材１６ｂの上端は径方向位置調節機構３の基台３ａ裏面の適宜位置に接合されている。これにより、移動テーブル２が車輪機構１４により移動可能とされる。
【００２９】
固定機構６は、鋼管杭Ｗ周囲の例えば１２０度の等間隔で３方向から先端を鋼管杭Ｗの外周面に当接させるよう配設される３本の固定部材２０と、固定部材２０を保持するリテーナリング２２とを備えてなるものとされる。リテーナリング２２上端は支持移動機構４の円環状のベース１８内側端部に一体化させて接合されている。
【００３０】
固定部材２０は、リテーナリング２２に螺進退自在に係合される固定ボトル２１と、固定ボトル２１先端部に揺動自在に装着された固定パッド(当接部材)２１ａとを含む。これにより、図５に示すように、鋼管杭Ｗが傾いて埋設されていても、移動テーブル２を水平に保って治具Ｊを鋼管杭Ｗにセットすることができる。
【００３１】
しかして、実施形態１の治具Ｊは、図３に示すように、作業員がトーチヘッドＨをテーブル本体２ａ上面に当接させた状態でズレ防止板２ｂ，２ｂ間にセットしてトーチヘッドＨの先端を鋼管杭Ｗの外周面に向けながら、鋼管杭Ｗの周りでトーチヘッドＨを旋回させることにより、所定レベルＬにおいて鋼管杭Ｗの杭頭の不要部分を所望の水平度および平滑度で切断することができる。
【００３２】
したがって、切断すべき鋼管杭Ｗの本数が少数である場合に、自動ガス切断機を導入することなく、他部材の組付等を行うのに充分な精度で鋼管杭Ｗを切断することが可能となり、工期短縮とコスト削減が図られる。
【００３３】
実施形態２
本発明の実施形態２に係る治具Ｊ１を図６に示す。この治具Ｊ１は治具Ｊを角形鋼管Ｗ１の切断用に改変してなるものである。すなわち、図６に示すように、支持移動機構４Ａのベース１８Ａを角環状に形成し、モノレール８Ａも角環状に形成し、ベース１８Ａに接合されるリテーナリング２２Ａも角環状に形成し、そして固定部材２０を角形鋼管の各面に対応させて４本設けるようにしてなるものとされる。なお、実施形態２のその余の構成および作用・効果は実施形態１と同様とされている。
【００３４】
以上、本発明を実施形態により説明してきたが、本発明はかかる実施形態のみに限定されるものではなく、種々改変が可能である。例えば、実施形態では径方向位置調節機構３は、無段階的に位置調節がなし得るようにされているが、位置調節用レールに使用が予定される鋼管杭Ｗの口径に対応した位置決め孔を設け、この位置決め孔に位置決めピンを挿通することにより、段階的に位置調節がなし得るようにされてもよい。そして、こうすることにより、鋼管杭Ｗの口径に対応した位置にテーブル本体２ａを迅速に位置決めできる。
【００３５】
また、図７に示すように、車輪機構３０の前輪機構３２および後輪機構３４をそれぞれ２輪としてモノレール３６を跨ぐようにさせるとともに、前輪機構３２および後輪機構３４の中間にガイド輪機構３３を設けるようしてもよく、図８に示すように、レール４６を平行レールとするとともに、車輪機構４０の前輪機構４２および後輪機構４４をそれぞれ２輪としてそれらの各２輪をレール４６，４６間に配設するようにしてもよい。
【００３６】
さらに、レールの曲率によってはガイド輪を廃止してもよい。
【産業上の利用可能性】
【００３７】
本発明は、鋼管杭の杭頭の不要部分を切除する場合に適用ができる。
【図面の簡単な説明】
【００３８】
【図１】本発明の実施形態１に係る鋼管杭切断ガイド治具の平面図である。
【図２】図１のＩＩ−ＩＩ線断面図である。
【図３】同鋼管杭切断ガイド治具の使用例の説明図である。
【図４】実施形態１の治具の詳細構成を示す図であって、同(ａ)は正面図を示し、同(ｂ)は側面図を示す。
【図５】鋼管杭が傾斜した場合の図２相当図である。
【図６】本発明の実施形態２に係る鋼管杭切断ガイド治具の平面図である。
【図７】車輪機構の変形例の一例を示す図であって、同(ａ)は正面図を示し、同(ｂ)は側面図を示す。
【図８】車輪機構の変形例の他の例を示す図であって、同(ａ)は正面図を示し、同(ｂ)は側面図を示す。
【符号の説明】
【００３９】
２      移動テーブル
２ａ    テーブル本体
２ｂ    横ズレ防止板
３      径方向位置調節機構
３ｂ    位置調節レール
４      支持移動機構
６      固定機構
８      モノレール
１０      前輪機構
１２      後輪機構
１４      車輪機構
２０      固定部材
２１      固定ボルト
２１ａ    固定パッド、当接部材
２２      リテーナリング
Ｊ      鋼管杭切断ガイド治具
Ｈ      トーチヘッド
Ｌ      切断面
Ｗ      鋼管杭
【図１】
2005279733.tif 000003
【図２】
2005279733.tif 000004
【図３】
2005279733.tif 000005
【図４】
2005279733.tif 000006
【図５】
2005279733.tif 000007
【図６】
2005279733.tif 000008
【図７】
2005279733.tif 000009
【図８】
2005279733.tif 000010